(57)【要約】【課題】  本発明の目的は右手用と左手用を兼用可能であるとともに、誤操作を防止するレンズ操作装置を提供することである。【解決手段】  上記目的を達成するために、本発明は、レンズ装置を制御するレンズ操作装置であって、回転操作される操作部材と、前記操作部材を回転可能に保持する筐体と、前記筐体に設けられる表示部と、を有し、前記表示部は、前記レンズ操作装置の情報を前記操作部材の側が上側となる向きで表示することを特徴とする。【選択図】  図３
2019070722.tif 000002
【特許請求の範囲】
【請求項１】
レンズ装置を制御するレンズ操作装置であって、
回転操作される操作部材と、
前記操作部材を回転可能に保持する筐体と、
前記筐体に設けられる表示部と、を有し、
前記表示部は、前記レンズ操作装置の情報を前記操作部材の側が上側となる向きで表示する
ことを特徴とするレンズ操作装置。
【請求項２】
レンズ装置を制御するレンズ操作装置であって、
回転操作される操作部材と、
前記操作部材を回転可能に保持する筐体と、
前記筐体に設けられる表示部と、を有し、
前記表示部は、前記レンズ操作装置が前記レンズ装置に該レンズ装置の光軸に対して右側、あるいは左側のいずれから取り付けられるかに応じて、前記レンズ操作装置の情報を表示する向きを変える
ことを特徴とするレンズ操作装置。
【請求項３】
前記表示部は、前記レンズ装置の光軸方向において前記レンズ装置の側が上となる向きになるように、前記情報を表示する
ことを特徴とする請求項２に記載のレンズ操作装置。
【請求項４】
前記表示部は、前記操作部材の回転軸に平行な面に配置されている
ことを特徴とする請求項１乃至３のいずれか一項に記載のレンズ操作装置。
【請求項５】
前記情報は、文字、数字、記号、あるいは図形の少なくともひとつにより表示される
ことを特徴とする請求項１乃至４のいずれか一項に記載のレンズ操作装置。
【請求項６】
前記筐体には、前記操作部材の回転軸の径方向の外側に突出しており、前記操作部材の回転軸に平行な第１の面、および前記回転軸の周方向に第２の面を有する凸部が形成され、
前記第１、第２のいずれか一方に前記レンズ操作装置の機能を設定するための指示部、他方に前記機能を有効あるいは無効にするスイッチがそれぞれ配置される
ことを特徴とする請求項１乃至５のいずれか一項に記載のレンズ操作装置。
【請求項７】
前記スイッチは前記操作部材の近傍に配置されている
ことを特徴とする請求項６に記載のレンズ操作装置。
【請求項８】
前記凸部は前記回転軸の周方向において２箇所の前記第２の面を有しており、
前記スイッチは、２箇所の前記第２の面にそれぞれ配置されており、
前記レンズ操作装置が前記レンズ装置に取り付けられた場合に、２箇所の前記第２の面のうち、一方のスイッチを無効、他方のスイッチを有効にする
ことを特徴とする請求項６または７に記載のレンズ操作装置。
【請求項９】
前記レンズ操作装置の複数の設定を切り替える切替部を更に有する
ことを特徴とする請求項２乃至８のいずれか一項に記載のレンズ操作装置。
【請求項１０】
前記複数の設定は、前記表示部に表示される情報の表示方向の設定、前記指示部の指示する方向の設定、複数の前記スイッチのうち機能させるスイッチの選択の設定のうち、２つ以上の設定を含む
ことを特徴とする請求項９に記載のレンズ操作装置。
【請求項１１】
前記指示部と前記表示部は同一の面に設けられる
ことを特徴とする請求項１乃至１０のいずれか一項に記載のレンズ操作装置。
【請求項１２】
前記表示部の配置される面の外縁は壁で囲まれる
ことを特徴とする請求項１乃至１１のいずれか一項に記載のレンズ操作装置。
【請求項１３】
前記指示部と前記表示部の配置される面の外縁は壁で囲まれ、
前記壁は前記指示部の周辺の一部が切り欠かれている
ことを特徴とする請求項１１に記載のレンズ操作装置。
【請求項１４】
前記壁の内側から、あるいは外側から嵌合することで、前記筐体に取り付け可能な保護カバーを更に有する
ことを特徴とする請求項１２または１３に記載のレンズ操作装置。
【請求項１５】
レンズ装置を制御するレンズ操作装置であって、
回転操作される操作部材と、
前記操作部材を回転可能に保持する筐体と、を有し
前記筐体には、前記操作部材の回転軸の径方向の外側に突出しており、前記操作部材の回転軸に平行な第１の面、および前記回転軸の周方向に第２の面を有する凸部が形成され、
前記第１、第２のいずれか一方に前記レンズ操作装置の機能を設定するための指示部、他方に前記機能を有効あるいは無効にするスイッチがそれぞれ配置される
ことを特徴とするレンズの操作装置。
【請求項１６】
前記レンズ操作装置は、前記レンズ装置のフォーカスレンズの制御信号を通信する
ことを特徴とする請求項１乃至１５のいずれか一項に記載のレンズ操作装置。
【請求項１７】
レンズと、前記レンズを駆動する駆動部と、前記駆動部を制御する制御部と、撮影者の操作に応じ前記制御部に指令信号を通信する請求項１乃至１６のいずれか一項に記載のレンズ操作装置と、を有することを特徴とするレンズ装置。
【請求項１８】
撮像素子を含むカメラと、前記撮像素子に被写体の像を形成するレンズ装置と、請求項１乃至１６のいずれか一項に記載のレンズ操作装置と、を有することを特徴とする撮像装置。
【発明の詳細な説明】
【技術分野】
【０００１】
本発明はレンズ操作装置、特に回転操作によりレンズを制御するレンズ操作装置、およびこれを有するレンズ装置、撮像装置に関するものである。
【背景技術】
【０００２】
従来、テレビレンズ等のレンズ装置のフォーカス操作を行うための、フォーカスデマンドと称されるレンズ操作装置が知られている。レンズ操作装置は、撮影者が手動で操作（回転操作）するノブを有している。ノブの回転角度に応じてモータ等の駆動装置が制御されるとともに、フォーカスレンズ群の位置が制御される（レンズ装置が制御される）。また、レンズ操作装置は、ノブ以外にもスイッチ等を有する。
【０００３】
特許文献１では予め所望のズーム位置（ショット位置）を設定し、スイッチ操作によってそのショット位置を自動再生するショット機能（プリセット機能）の表示をし、撮影者がショット位置を把握し易くしたレンズ操作装置が開示されている。特許文献２ではフォーカスを合わせるポイント（オートフォーカス枠）を指定する十字キーと、オートフォーカスを行うフォーカスリングが近接する構成によって、操作のし易いレンズ操作装置が開示されている。
【先行技術文献】
【特許文献】
【０００４】
【特許文献１】特開２００１−１６０９１２号公報
【特許文献２】特開２００６−７９０５４号公報
【発明の概要】
【発明が解決しようとする課題】
【０００５】
レンズ操作装置は、レンズ装置の撮影者の利き手や好み等に応じて、右手で操作される場合と、左手で操作される場合がある。左手で操作される場合、レンズ操作装置は撮影者の左手側から、ノブが外側を向くように取り付けられる。しかし、特許文献１、２に開示の従来技術では撮影者の左手側での使用が考慮されていない。
【０００６】
特許文献１のレンズ操作装置の筐体に印字された文字、ＬＥＤ点灯位置等の情報は、右手側に取り付けられたときに読みとり易くなっている。したがって、左手側に取り付けようとすると、文字等の情報の上下が逆の向きとなって（倒立して）読みとり辛くなる。またスイッチが上下方向に並んで（上下方向に非対称に）配列されているが、レンズ操作装置を右手側で用いる場合と左手側で用いる場合とで、スイッチの配列も反転する。このため、意図された機能とは異なる機能が割り当てられたスイッチを操作してしまう可能性がある。
【０００７】
また、特許文献２に開示されたレンズ操作装置は、前述の十字キーと、オートフォーカスを有効にするスイッチの双方が、筐体の操作ノブ近傍、かつ同一曲面上に配置されている。したがって、撮影者が意図せずにスイッチに触れてしまう等の誤操作が生じる恐れがある。
【０００８】
そこで本発明の目的は、右手用と左手用を兼用可能であるとともに、誤操作を防止するレンズ操作装置を提供することである。
【課題を解決するための手段】
【０００９】
上記目的を達成するために、本発明は、レンズ装置を制御するレンズ操作装置であって、回転操作される操作部材と、前記操作部材を回転可能に保持する筐体と、前記筐体に設けられる表示部と、を有し、前記表示部は、前記レンズ操作装置の情報を前記操作部材の側が上側となる向きで表示することを特徴とする。
【発明の効果】
【００１０】
本発明によれば、右手用と左手用を兼用可能であるとともに、誤操作を防止するレンズ操作装置を提供することができる。
【図面の簡単な説明】
【００１１】
【図１】本発明の操作装置を備える撮像装置の使用状態の説明図である。
【図２】実施例１の操作装置の説明図である。
【図３】実施例１の操作装置の使用状態の詳細説明図である。
【図４】実施例１の操作装置の視認のされ方を説明する図である。
【図５】実施例１の操作装置の保護カバーを取り付ける説明図である。
【図６】実施例２の操作装置の説明図である。
【発明を実施するための形態】
【００１２】
以下に、本発明の好ましい実施の形態を、添付の図面に基づいて詳細に説明する。
【００１３】
（実施例１）
はじめに、図１から図５を参照して、本発明の第１の実施例によるレンズ操作装置について説明する。
【００１４】
図１は、本発明のレンズ操作装置を備える撮像装置の使用状態を示している。
【００１５】
レンズ装置１０２はカメラ１０３に取り付けられる。カメラ１０３は撮像素子（不図示）を含み、レンズ装置１０２はこの撮像素子上に被写体の像を形成する。レンズ装置１０２は、レンズと、レンズを光軸Ｏ方向に駆動させる駆動部を有している。
【００１６】
カメラ１０３は接地面ＧＲ上の三脚１０４に保持される。三脚１０４には、レンズ装置１０２のフォーカスを操作するためのレンズ操作装置であるフォーカスデマンド１０１、およびズームを操作するためのレンズ操作装置であるズームデマンド１０５が固定される。これら２つのレンズ操作装置はレンズ装置１０２に接続している。
【００１７】
撮影者１０６は、これら２つのレンズ操作装置を操作することで、レンズ装置１０２から離れた位置（遠隔）でも、所望の焦点および画角を調整しつつ、撮影を行える（遠隔操作できる）。具体的には、レンズ操作装置の制御部は、操作量に応じた指令信号をレンズ装置の駆動部に送り、これに基づいて駆動部がレンズを駆動させる。なお撮影者１０６がフォーカスデマンド１０１を操作している際の視線を、矢印Ｇで示している。
【００１８】
（説明で用いる方向の定義）
以下、フォーカスデマンド１０１にかかわる方向を、図１に示す撮影者１０６がレンズ装置１０２を用いて撮影しており、撮影者１０６とレンズ装置１０２の間にフォーカスデマンド１０１が存在している状態を基準として表現する。具体的には、以下、フォーカスデマンド１０１にかかわる方向を、フォーカスデマンド１０１の光軸Ｏ方向における撮影者１０６のいる側を撮影者の側、被写体のいる側をレンズ装置の側と称する。
【００１９】
（構成）
図２にフォーカスデマンド１０１の斜視図を示す。
【００２０】
ノブ（操作部材）２は、筐体１に対して相対回転可能に保持される。撮影者は、ノブ２を操作（回転操作）することでレンズ装置１０２の焦点調整を行える。すなわち、撮影者がノブ２を把持しつつ回転させると、ノブ２の回転角度に応じた指令値がレンズ装置１０２の制御部に通信（出力）される。レンズ装置１０２のフォーカスレンズ（不図示）は、この指令値に応じて駆動される。なお、指令値はノブ２の操作量（回転角度）そのものでも良い。このように、フォーカスデマンド１０１はレンズ装置１０２の制御部に制御信号を通信することでレンズ装置１０２を制御するが、例えば、フォーカスデマンド１０１が制御部を有する構成であってもかまわない。
【００２１】
（筐体）
筐体１は、ノブ２の回転軸と同軸の略円筒形状であり、ディスプレイ（表示部）３、十字キー（指示部）４、およびスイッチ５を有する。筐体１の取り付け面Ｓ２の設けられた取付部が、三脚１０４から延びる腕部１０４ａ、１０４ｂのいずれか一方に取り付けられる（図１参照）。
【００２２】
（凸部）
筐体１には、図２に示されるように、ノブ２の回転軸に対して径方向の外側に突出する凸部Ｔ（図２の破線で囲まれる部分）が形成される。凸部Ｔの上面（第１の面、フォーカスデマンド１０１が取り付けられた際の鉛直方向における上面）Ｐ１には、後述するディスプレイ３および十字キー４が配置される。本実施例においては、上面Ｐ１はノブ２の回転軸に対して平行な面である。なお、上面Ｐ１は回転軸に対して厳密に平行である必要はなく、略平行であればよい。
【００２３】
（面Ｐ１の周辺構造）
ディスプレイ３は、フォーカスデマンド１０１の現在の機能を表す文字、数字、記号、あるいは図形等（あるいはこれらの組み合わせ）により、レンズ操作装置の情報（例えばレンズ操作装置に設定された機能の情報等）を表示する。情報を表示する向きは、筐体１のノブ２の側の面Ｓ１側が上側、筐体１の取り付け面Ｓ２側が下側となるような向きである。
【００２４】
ディスプレイ３および十字キー４の配置された面Ｐ１の外縁部には、これらを保護するための保護壁１ａが形成される。保護壁１ａは面Ｐ１の外縁を囲むように設けられるが、保護壁１ａの一部には十字キー４の周辺部において切り欠き１ｂが形成されているので、撮影者による十字キー４の操作を妨げないようになっている。
【００２５】
（スイッチ）
スイッチ５は、筐体１に形成された凸部Ｔの側面（ノブ２の回転軸に対して周方向の２箇所の面、第２の面）Ｐ２、およびＰ３の面内でノブ２の近傍に（面Ｐ２（Ｐ３）の回転軸方向の中心線Ｃに対してノブ２の側に）配置される。言い換えると、ディスプレイ３、および十字キー４が配置される面と交差する面に設けられる。したがってスイッチ５と上面Ｐ１との間には、保護壁１ａの少なくとも一部が存在している。
【００２６】
（各部の機能）
撮影者は十字キー４を操作することによってフォーカスデマンド１０１の機能を選択できる。設定された（現在の）機能はディスプレイ３に表示される。また、スイッチ５を押すことで、選択した機能のＯＮとＯＦＦ（有効、無効）を切り替える。
【００２７】
（レンズ操作装置の取り付け）
本実施例におけるフォーカスデマンド１０１は、撮影者が右手、左手いずれでも容易に操作可能なように、撮影者の側からレンズ装置１０２を見たときに、レンズ装置１０２の光軸Ｏに対して右側から、あるいは左側から取り付け可能である。具体的には、図１に示したように、三脚１０４から延びる腕部１０４ａ、１０４ｂのいずれか一方に取り付けられる。他方の腕には、ズームデマンド１０５が取り付けられることになる。
【００２８】
フォーカスデマンド１０１は、凸部Ｔがレンズ装置１０２の接地面ＧＲ（図１参照）と逆向きに凸となるように取り付けられる（すなわち、面Ｐ１が鉛直上側に向く）。
【００２９】
図３に、フォーカスデマンド１０１が右側（右手側）に取り付けられた状態を示す。フォーカスデマンド１０１は、取り付け面Ｓ２がレンズ装置１０２の光軸Ｏの側（径方向内側）を向き（取り付け面Ｓ２が光軸Ｏと平行であり）、ノブ２が光軸Ｏとは反対側（径方向外側）を向くように取り付けられる。
【００３０】
このようにすることで、一般に撮影者１０６は光軸の径方向外側からノブ２を操作するので、容易にフォーカスデマンドを操作することができる。
【００３１】
図４（ａ）には、右側（右手側）に取り付けられたフォーカスデマンド１０１、図４（ｂ）には、左側（左手側）に取り付けられたフォーカスデマンド１０１を示す。図３に示す状態とは逆側の左手側に取り付けられた場合も、フォーカスデマンド１０１は、凸部Ｔがレンズ装置１０２の接地面ＧＲ（図１参照）と逆向きに凸となるように取り付けられる。同様に、取り付け面Ｓ２がレンズ装置１０２の光軸Ｏの側（径方向内側）を向き、ノブ２が光軸Ｏとは反対側（径方向外側）を向くように取り付けられる。図３（図４（ａ））と異なるのは、側面Ｐ３が撮影者の側を向くように取り付けられる点である。
【００３２】
（効果）
撮影者１０６はノブ２を操作しながら、図４の矢印Ｇ（図１、図３も参照）に示すように、右手側を向き、ディスプレイ３を見下ろすような視線で、ディスプレイ３を視認する。
【００３３】
この時ディスプレイ３は、図４（ａ）、図４（ｂ）いずれの向きにおいても、文字、数字、記号あるいは図形等で表される情報を、ノブ２の側が上側、取り付け面Ｓ２の側が下側となるような向きで表示している。
【００３４】
この向きは、図４（ａ）、図４（ｂ）いずれの向きにおいても、撮影者１０６にとっては文字、数字、記号あるいは図形等が撮影者（の視線Ｇ）にとって倒立していない向きであり、瞬時に視認しやすい（読みとりやすい）向きである。以下、この向きを撮影者１０６に正対する向きと称する。なお、図形を表示する場合は、これを表示した者の意図通りの向きが、撮影者１０６に正対する向きになっている必要がある。
【００３５】
したがって撮影者は、ディスプレイ３の表示する情報が撮影者に正対しているので、現在スイッチ５に割り当てられている機能が何であるのか瞬時に確認でき、表示が視認し辛いことに起因する誤操作を防ぐことができる。
【００３６】
（その他の効果）
また、スイッチ５が面Ｐ２のうちノブ２寄りに（近傍に）配置されるので、撮影者１０６はノブ２を把持、操作しながら、親指でスイッチ５を押すことができる。したがって撮影者は、撮影を継続しながらも迅速な機能切替操作を行うことが出来る。
【００３７】
一方、前述のように十字キー４は、ディスプレイ３とともに凸部Ｔの上面Ｐ１に設けられており、これはスイッチ５が設けられた面（側面Ｐ２，Ｐ３）とは異なる面である。更に、上面Ｐ１と、側面Ｐ２（Ｐ３）の間（の少なくとも一部）には、壁部１ａが設けられている。
【００３８】
これにより、撮影者１０６が親指で面Ｐ２に設けられたスイッチ５を操作した際に、意図せずに十字キー４に触れてしまう可能性を低くできる。
【００３９】
更には、ディスプレイ３と十字キー４が同一の面Ｐ１上に配置されていることで、十字キー４を操作している際にディスプレイ３をみながら十字キー４を直感的に操作することができる。より具体的には、撮影者１０６が、十字キー４を操作する自身の指の動きと、ディスプレイ３に表示されている情報の変化とを同時に視認することが可能であることに起因して、より直感的に十字キー４を操作できる。
【００４０】
（変形例）
図５は、実施例１の操作装置の保護カバーを取り付ける説明図である。図５に基づいて、フォーカスデマンド１０１のディスプレイ３に保護カバー（保護キャップ）６を取り付けた状態について説明する。
【００４１】
本実施例では、保護壁１ａが嵌合穴の機能も有している。保護カバー６は凸部６ａを有し、凸部６ａと保護壁１ａが嵌め合うことで保護カバー６は筐体１に保持され、ディスプレイ３は保護される。
【００４２】
また、保護カバー６を外す時は、切り欠き１ｂに指を入れ、保護カバー６に指を掛けることで簡単に外すことが出来る。すなわち、切り欠き１ｂは保護カバー６を外す際、保護カバー６に指をかけるための逃げ形状として機能している。
【００４３】
なお、保護カバー６は保護壁１ａの内側から嵌合する（保護壁１ａが嵌合穴である）構成でも、保護壁１ａの外側から嵌合する（保護壁１ａが嵌合軸である）構成でもよい。また、本実施例においては保護壁１ａが凸部Ｔの上面Ｐ１のうち、十字キー４の周辺部に切り欠き１ｂを形成しているが、全周を保護壁としても、保護カバー６の着脱が可能な効果を得ることができる。
【００４４】
（実施例２）
以下、図６を参照して、本発明の第２の実施例によるレンズ操作装置について説明する。実施例１と同様の構成や機能については説明を省略する。
【００４５】
（構成）
図６は実施例２のフォーカスデマンド２０１の説明図である。図６（ａ）は撮影者がフォーカスデマンド２０１を右手側で、図６（ｂ）は左手側で操作する場合に、撮影者からみたフォーカスデマンド２０１を示す。なお、右手側、左手側の意味は実施例１と同じである。すなわち右手側は、レンズ装置１０２の撮影者１０６からみて（図１参照）、レンズ装置１０２に、その光軸Ｏに対して右側から取り付けることを意味している。左手側は、レンズ装置１０２に、その光軸Ｏに対して左側から取り付けることを意味している。
【００４６】
本実施例のフォーカスデマンド２０１は、筐体１の面Ｐ２に切替レバー（切替部）９を有する構成である。図６（ａ）に示すように、フォーカスデマンド２０１を右手側に取り付け、右手で使用する場合は、切替レバー９をＲ方向に倒す。あるいは、図６（ｂ）に示すようにフォーカスデマンド２０１を左手側に取り付け、左手で使用する場合は、切替レバー９をＬ方向に倒す。
【００４７】
実施例１と同じく、筐体１の凸部の側面Ｐ２にはスイッチ１０が、側面Ｐ３にはスイッチ１１が配置されている。その他、実施例１と同一の構成には同一の符号を付し、説明は省略する。
【００４８】
（右手側に取り付ける場合）
はじめに、フォーカスデマンド２０１を右手側に取り付ける場合について説明する。
【００４９】
図６（ａ）のように切替レバー９をＲ方向に倒すと、ディスプレイ３の文字、数字、記号、あるいは図形等が、光軸方向において撮影者の側が下になる向き（レンズ装置の側が上となる向き）で表示される。
【００５０】
同時に、十字キー４の指示する方向が、ディスプレイ３が情報を表示している方向に対応する（十字キー４のディスプレイ３側のキーが上側方向を、ノブ２０１側のキーが右側方向を指示する）。
【００５１】
さらに凸部の側面Ｐ２に配置された一方のスイッチ１０が有効となる（同時に、凸部の側面Ｐ３に配置された他方のスイッチ１１は無効となる）。
【００５２】
（左手側に取り付ける場合）
次に、フォーカスデマンド２０１を左手側に付け替える場合について説明する。
【００５３】
左手で使用する場合は、図６（ｂ）で示すように、切替レバー９をＬ方向に倒す。
【００５４】
そうすると、ディスプレイ３の文字、数字、記号、あるいは図形等の表示される向きが、レンズ装置の光軸Ｏ方向において、撮影者の側が下になる向き（レンズ装置の側が上となる向き）切り替わる。同時に、十字キー４の指示する方向がディスプレイ３の表示方向に対応する（十字キー４のディスプレイ３側のキーが下側方向を、ノブ２０１側のキーが左側方向を指示する）。
【００５５】
さらに凸部の側面Ｐ３に配置された他方のスイッチ１１が有効に切り替わる（同時に、凸部の側面Ｐ２に配置された一方のスイッチ１０は無効に切り替わる）。
【００５６】
（効果）
フォーカスデマンド２０１は切替レバー７によって、ディスプレイ３が表示する文字、数字、記号、あるいは図形等の向き、十字キー４の各キーが指示する方向、およびスイッチ１０、１１の有効・無効、を一度に（同時に、ひとつの操作で）切り替える。
【００５７】
このように本実施例では、フォーカスデマンド２０１がレンズ装置１０２にその光軸Ｏに対して右側、あるいは左側のいずれから取り付けられるかに応じて、切り替えが必要となる複数の設定を、一度に、かつ容易に切り替えることができる。
【００５８】
また、ディスプレイ３が表示する文字、数字、記号、あるいは図形等の向きが、撮影者にとって常に視認しやすい（読みとりやすい）向きとなる。同時に、撮影者が十字キー４を操作する際に指が動く方向と、十字キー４の各キーがディスプレイ３の情報を変化させる方向も一致させ、直感的な操作が可能な状態を維持できる。ディスプレイ３が表示する情報の向きは、例えばディスプレイに表示される全ての情報の向きを反転させても良いし、その一部の、例えば対称（回転対称）でない情報のみの表示の向きを変更しても良い。
【００５９】
また、フォーカスデマンド２０１を右手側に取り付けた場合、撮影者の親指側にあたるスイッチ１０を有効に、撮影者の他の指側にあたるスイッチ１１を無効にする。これによって、撮影者が意図せずに、人差指等でスイッチ１１に触れてしまった場合、スイッチ１１に割り当てられた機能が誤って動作することを防ぐことができる。
【００６０】
一方、フォーカスデマンド２０１を左手側に取り付けた場合、撮影者の親指にあたり得る側のスイッチ１１を有効、その他の指にあたり得る側のスイッチ１０を無効に切り替える。これによって、撮影者が意図しないで（その他の指により）スイッチ１０に触れてしまった場合、スイッチ１０に割り当てられた機能が誤って動作することを防ぐことができる。
【００６１】
（変形例）
逆に、有効にするスイッチを本実施例と逆にして、フォーカスデマンド２０１を右に取り付けた場合にはスイッチ１１のみを有効に、左に取り付けた場合にはスイッチ１０のみを有効にするように構成しても良い。この場合は、各スイッチが親指ではなく人差指で操作されるのに好適である。
【００６２】
また、スイッチ１０とスイッチ１１の双方に異なる機能を割り当てて切替レバー７の切り換えによって各々に設定された機能を交換しても良い。これにより、フォーカスデマンドを左右いずれに取り付けても、違和感のない操作ができる。
【００６３】
切替レバー７が３つの設定を一度に（一斉に）切り替える例を説明したが、これ以外の設定を同時に切り替えても良い。例えば、ノブ２の回転方向（回転軸に対して時計まわり、あるいは反時計まわり）と、その回転方向に対応する指令信号を、例示した機能と同時に切り替えても良い。また、切替レバー７の操作により複数の機能を順次切り替える構成でも、例示した設定を含まないものでも本発明の要旨の範囲内である。
【００６４】
また、以上の実施形態における指示部は、十字キーとしたが、これに限られない。例えば２方向のみを指示する構成でも、全方位を連続的に指示できるスティック状の構成でもよい。
【００６５】
以上、本発明の好ましい実施形態について説明したが、本発明はこれらの実施形態に限定されず、その要旨の範囲内で種々の変形及び変更が可能である。
【符号の説明】
【００６６】
１０１、２０１  フォーカスデマンド
１０２  レンズ装置
１  筐体
２  ノブ（操作部材）
３  ディスプレイ（表示部）
４、８  十字キー（指示部）
【図１】
2019070722.tif 000003
【図２】
2019070722.tif 000004
【図３】
2019070722.tif 000005
【図４】
2019070722.tif 000006
【図５】
2019070722.tif 000007
【図６】
2019070722.tif 000008